(57)【要約】【課題】本発明は、磁気テープのリールハブへの貼付する際の磁気テープ先端部のめくれ上がりを防止することにより、磁気テープの変形を防止し、高精度なサーボ信号の記録再生が可能な磁気テープおよびこれを備えた磁気テープカートリッジを提供することを目的とする。【解決手段】本発明に係るテープカートリッジ１は、磁気テープＭＴと、この磁気テープＭＴを巻装するハブＨを有する単一のリールＣＲと、このリールＣＲを収容するカートリッジケースＣと、を備え、磁気テープＭＴのハブ側先端部ＭＴ１はハブＨに貼り付けられ、ハブ側先端部ＭＴ１の両エッジは、面取りされて面取部２５、２５が形成されて構成される。【選択図】図２
2007335009.tif 000002
【特許請求の範囲】
【請求項１】
テープと、このテープを巻装するハブを有する単一のリールと、このリールを収容するカートリッジケースと、を備えるテープカートリッジであって
前記テープの前記ハブ側先端部は前記ハブに貼り付けられ、
前記ハブ側先端部の両エッジは、面取りされて面取部が形成されていることを特徴とするテープカートリッジ。
【請求項２】
前記面取部は、円弧状に形成されていることを特徴とする請求項１に記載のテープカートリッジ。
【請求項３】
前記面取部は、前記テープの前記両エッジに対して４５度傾斜するように形成されていることを特徴とする請求項１に記載のテープカートリッジ。
【請求項４】
前記面取部は、それぞれ前記テープの全幅の３分の１ずつとなるように形成されていることを特徴とする請求項１から請求項３のいずれかに記載のテープカートリッジ。
【発明の詳細な説明】
【技術分野】
【０００１】
本発明は、１リールタイプのテープカートリッジに関する。
【背景技術】
【０００２】
従来、１リールタイプのテープカートリッジにおいては、組立の最終段階でカートリッジケース内のリールのハブにテープを巻き取るようになっている。テープをハブに確実に巻き取るには、テープを巻き取り始める際、テープの先端部をハブに確実に貼り付ける必要があり、テープをハブへ貼付する手段が種々提案されている。以下、この貼付手段について図７および図８を参照して説明する。図７（ａ）は、テープ先端部搬送手段の断面図であり、（ｂ）は、（ａ）をＡ方向から見たテープ先端部搬送手段の平面図であり、（ｃ）は、（ａ）の状態からハブに磁気テープが貼付される様子を示した図であり、（ｄ）は、（ｃ）をＢ方向からみた側面図である。図８は、従来のテープカートリッジを示す図であって、（ａ）は、テープリールの平面図であり、（ｂ）は、テープリールに巻きつけられた磁気テープの変形部分の拡大図である。
【０００３】
例えば、特許文献１に記載のテープワインダは、磁気テープを巻装していないリールを内蔵したカートリッジを保持するカートリッジ保持手段と、磁気テープをカートリッジの内部に導入する磁気テープ導入手段と、を有している。図７を参照して説明すると、図７（ａ）および図７（ｂ）に示すように、磁気テープ導入手段１２２は、磁気テープＭＴを吸着する吸着部１２４と、リールのハブＨの表面にアルコールなどの液体を塗布する塗布体１２８と、を有している。また、図７（ｃ）および図７（ｄ）に示すように、ハブＨの両端にはフランジ１０５Ａ（図７（ｃ）においては図示省略）および１０５Ｂが設けられている。そして、テープワインダは、磁気テープＭＴの先端を吸着した磁気テープ導入手段１２２をカートリッジの内部に挿入することにより、まず、塗布体１２８によってハブの表面にアルコールを塗布する。次にテープワインダは、アルコールが塗布されたハブＨの表面に磁気テープＭＴを接触させることにより、磁気テープＭＴをハブＨに貼り付ける。そして、テープワインダは、リール駆動手段によって、リールＣＲ（図８参照）を回転させることにより、磁気テープＭＴをハブＨに巻き取っている。
【特許文献１】特開２００５−２５９２７３号公報
【発明の開示】
【発明が解決しようとする課題】
【０００４】
しかしながら、磁気テープは、上下面の伸縮性の違いや巻きぐせによりハブへの貼り付け時に、ハブ側先端部の角部がハブからめくれ上がることがある。このため、特許文献１に示すテープワインダによると、アルコールの塗布量や塗布幅が十分でない場合、図７（ｃ）および図７（ｄ）に示すように、磁気テープＭＴのハブ側先端部がハブＨの表面に十分に貼付されず、磁気テープＭＴのハブ側先端部の角部１２５がめくれ上がってしまう。
【０００５】
このように、磁気テープＭＴがハブＨに貼付されたときに角部１２５がめくれ上がった状態であると、図８のＡ部分の拡大図に示すように、ハブと磁気テープとの間に、角部１２５のめくれの高さ分の僅かな隙間Ｓができてしまう。そして、この隙間Ｓの上に順次磁気テープが巻かれていくため、磁気テープの巻圧力により、図８に示すように隙間Ｓが潰されて、隙間Ｓの近傍に僅かなたるみが生じ、磁気テープの径方向に放射状の変形が生じてしまうこととなる。
このような放射状の変形は、リールＣＲからの磁気テープの繰り出しの際に、テープ幅方向の振れを生み出し、トラックの位置関係を不安定にして、磁気記録再生に記録抜けなどのエラーを発生させる原因となっていた。
【０００６】
そこで、本発明は、テープをハブへ貼付する際のテープ先端部のめくれ上がりを防止することにより、巻装されたテープの変形を防止し、高精度なサーボ信号の記録再生が可能なテープカートリッジを提供することを目的とする。
【課題を解決するための手段】
【０００７】
前記した課題を解決した本発明のテープカートリッジは、テープと、このテープを巻装するハブを有する単一のリールと、このリールを収容するカートリッジケースと、を備えるテープカートリッジであって、前記テープの前記ハブ側先端部は前記ハブに貼り付けられ、前記ハブ側先端部の両エッジは、面取りされて面取部が形成されていることを特徴とする。
【０００８】
本発明によれば、磁気テープのハブ側先端部の両エッジを面取りしているので、磁気テープをハブに巻きつける際に、磁気テープのハブ側先端部がハブからめくれ上がることを防止することができる。このように、磁気テープをハブに確実に貼付させることができるため、磁気テープに放射状の変形が発生することを防止することができる。
【０００９】
また、前記面取部は、円弧状に形成されていてもよい。
【００１０】
これによれば、ハブ側先端部の面取部を円弧状に形成したことによりハブ側先端部に角部がなくなり、テープのハブ側先端部をハブにより安定して貼付させることができる。
【００１１】
また、前記面取部は、前記テープの前記両エッジに対して４５度傾斜するように形成されていてもよい。
【００１２】
これによれば、ハブ側先端部が鋭利になりすぎず、かつ、適度に面取りされているため、テープのハブ側先端部がリールのハブからめくれ上がることを防止しつつ、テープをハブにより確実に貼付させることができる。
【００１３】
前記面取部は、それぞれ前記テープの全幅の３分の１ずつとなるように形成されていてもよい。
【００１４】
これによれば、テープのハブ側先端部の左右の面取部とハブ側先端部の中央部分とがテープ全幅のそれぞれ３分の１ずつとなるので、ハブ側先端部が鋭利になりすぎることがなく、テープのハブ側先端部をハブに貼付させることができる。
【発明の効果】
【００１５】
本発明によれば、磁気テープのハブ側先端部をハブへ貼り付ける際に、先端部がハブから剥がれてめくれ上がることを防止することができ、巻き取られた磁気テープに放射状の変形が発生することを防止することができる。
【発明を実施するための最良の形態】
【００１６】
以下、本発明に係るテープカートリッジの実施形態について、適宜図面を参照して詳細に説明する。
【００１７】
まず、本発明のテープカートリッジ１の構成について説明する。
図１は、本発明の第１の実施形態に係るテープカートリッジの分解斜視図であり、図２（ａ）は、図１におけるリール部分の分解斜視図であり、（ｂ）は、リールのハブに貼付された磁気テープのハブ側先端部の拡大図である。
図１に示すテープカートリッジ１は、いわゆるＬＴＯ規格に準拠した磁気テープカートリッジであり、上ハーフＣ１と下ハーフＣ２とに分割構成されたカートリッジケースＣの内部に、単一のリールＣＲ、リールＣＲの回転をロックするためのロックプレート２および圧縮コイルばね３、リールＣＲのロック状態を解除するためのリリースパッド４、磁気テープＭＴが巻回されるハブＨ、ハブＨに溶着される上フランジ５Ａおよび下フランジ５Ｂとからなるフランジ５、下ハーフＣ２および上ハーフＣ１に跨ってカートリッジケースＣに形成された磁気テープ引出口Ｃ３を開閉するスライドドア６、スライドドア６を磁気テープ引出口Ｃ３の閉位置に付勢するねじりコイルばね７、誤消去防止爪８、カートリッジメモリチップ９、リールピンＲＰ、クリップ１１などを組み込んで構成されている。なお、図１では、リールＣＲに磁気テープＭＴが巻装された状態を示している。
【００１８】
次に、磁気テープＭＴについて図２を参照して詳細に説明する。
図２（ａ）に示すように、磁気テープＭＴは、ハブ側先端部ＭＴ１がハブＨの表面に貼付されて巻回される。
ここでまず、磁気テープＭＴのリールＣＲの構成、主に、ハブＨおよびハブＨに固着されるフランジ５の構成について説明する。
【００１９】
ハブＨは、略円筒状であって、外周表面には、磁気テープＭＴの先端部ＭＴ１が貼付されて巻回される。
【００２０】
フランジ５（図１参照）は、略円盤状であって、プラスチックなどの硬質の材料からなり、上フランジ５Ａと下フランジ５Ｂとにより構成される。円筒状のハブＨの一端に上フランジ５Ａが、他端に下フランジ５Ｂが、それぞれハブＨの回転軸に対して垂直に設けられている。
また、下フランジ５Ｂは、ハブＨと一体成形されている。上フランジ５ＡとハブＨとは、超音波溶着や接着などの従来公知の方法で固着される。
なお、上フランジ５Ａはその中心部が開口されている。
【００２１】
磁気テープＭＴは、図２（ｂ）に示すように、ハブＨに貼付されるハブ側先端部ＭＴ１のエッジが面取りされて面取部２５、２５が形成されている。
面取部２５、２５は、両エッジに対して角度θ（本実施形態では４５度）傾斜して形成されている。
【００２２】
また、左右の面取部２５、２５の幅は、面取部２５、２５とハブ側先端部ＭＴ１とのバランスを考慮して、磁気テープＭＴの全幅のそれぞれ３分の１ずつとなるように形成することが好ましい。
なお、このとき、面取部２５、２５が磁気テープＭＴのエッジから４５度傾斜して形成されるように、後記するテープ切断装置８０（図３参照）の刃（図示しない）の角度をあらかじめ調整している。
【００２３】
次に、本発明のテープカートリッジ１を製造するテープワインダＷの構成について説明する。
図３は、本発明の第１の実施形態に係るテープカートリッジを製造するテープワインダを示す概略構成図である。
図３に示すテープワインダＷは、リールにいわゆるパンケーキ状に巻回された磁気テープＭＴを所定の長さに切断した後、カートリッジケースＣ内に組み込まれているリールＣＲのハブＨに巻き取るための装置である。そして、このテープワインダＷには、カートリッジケースＣ内に組み込まれているリールＣＲのハブＨに、磁気テープＭＴのハブ側先端部ＭＴ１を貼り付けるためのテープ貼付装置２０が設置されている。
【００２４】
図３に示すように、テープワインダＷは、主に、テープ供給装置１０と、テープ貼付装置２０と、磁気テープＭＴの表面を研磨するブレード装置３０と、磁気テープＭＴの両面を清掃するクリーニング装置４０、４０と、走行中の磁気テープＭＴの張力を調整する張力調整装置５０と、ストックされているカートリッジケースＣをテープ貼付装置２０に供給するカートリッジケース供給部６０と、リールＣＲに磁気テープＭＴが巻回されたカートリッジケースＣを排出するテープカートリッジ排出部７０とテープ貼付装置２０より磁気テープＭＴの走行方向上流側に配置され、磁気テープＭＴを切断するテープ切断装置８０と、を備えて構成されている。
【００２５】
また、磁気テープＭＴをテープ貼付装置２０まで案内するための複数のテープガイド９０がパネルＰの適所に配置されている。
なお、第１の実施形態において、テープ貼付装置２０は、磁気テープＭＴをハブＨに巻き取るための機能も有している。
また、図中の１００は、テープワインダＷを操作するための操作盤である。
【００２６】
テープ供給装置１０は、テープ貼付装置２０に磁気テープＭＴを供給するための装置であり、パンケーキ状に磁気テープＭＴが巻回された、リールＲ１とリールＲ２とを有している。テープ供給装置１０は、リールＲ１（またはＲ２）を、図示しないリール駆動装置によって所定の回転速度で回転させ、テープ貼付装置２０に向けて磁気テープＭＴを送り出す。なお、テープ供給装置１０は、２つのリールＲ１、Ｒ２を有しているので、片方のリールＲ１の磁気テープＭＴがなくなったときは、リールＲ２に切り換えて、テープ貼付装置２０に磁気テープＭＴを連続的に供給するようになっている。
【００２７】
テープ貼付装置２０は、テープ供給装置１０から供給された磁気テープＭＴのハブ側先端部ＭＴ１をカートリッジケースＣ内のリールＣＲのハブＨに貼り付けるための装置であるとともに、磁気テープＭＴをハブＨに巻き取るための機能も有している。
【００２８】
図３に示すように、テープ貼付装置２０は、カートリッジケースＣを設置するケース設置部２１と、テープ供給装置１０から供給される磁気テープＭＴをカートリッジケースＣまで搬送するテープ先端部搬送手段２２と、を備えて構成される。
ケース設置部２１は、カートリッジケースＣの磁気テープ引出口Ｃ３をテープ先端部搬送手段２２に向けた状態で、カートリッジケースＣを保持するようになっている。
【００２９】
テープ切断装置８０は、上刃と下刃とから構成され、上刃と下刃との接合線により磁気テープＭＴを切断するものであって、軸心から回動可能に取り付けられ、ハブ側先端部ＭＴ１を磁気テープＭＴのエッジから４５度傾斜して形成されるように切断したり、磁気テープＭＴがリールＣＲに所定長さ巻き取られた後に、磁気テープＭＴを幅方向に切断したりするために用いられる。
【００３０】
図４は、本発明の第１の実施形態に係るテープカートリッジにおいて、磁気テープを吸着保持したテープ先端部搬送手段の要部の平面図である。
図４に示すように、テープ先端部搬送手段２２は前後長の長いブロックである。テープ先端部搬送手段２２は、ケース設置部２１に設置されるカートリッジケースＣの磁気テープ引出口Ｃ３から水平方向にずれた位置に設置され（図３参照）、テープ供給装置１０から供給される磁気テープＭＴのハブ側先端部ＭＴ１付近を吸着して搬送する機能を有する。そのため、テープ先端部搬送手段２２は、図示しないエアシリンダ等の駆動手段によって、磁気テープ引出口Ｃ３からカートリッジケースＣの内部に移動可能に構成されている。
【００３１】
テープ先端部搬送手段２２の上面側には、先端側（カートリッジケースＣ寄り）から、スポンジ載置部２３と、吸着部２４と、が形成されている。
【００３２】
スポンジ載置部２３は、凹部が形成され、スポンジ２８が載置される。このスポンジ載置部２３は、例えば、エタノールなどの貼付用のアルコール（液体）をその内部に供給されるように構成されており、スポンジ２８には常に適量のアルコールが滲みこむようになっている。
【００３３】
スポンジ２８は、スポンジ載置部２３から少し突出する高さを有する矩形状のものを用いる。このスポンジ２８は、カートリッジケースＣ内のリールＣＲのハブＨ（図３参照）にアルコールを塗布するためのものである。このスポンジ２８は、アルコール等の薬品に耐性（耐薬品性）があることが望ましい。スポンジ２８は、乾燥時に柔軟性を有することで、アルコールに浸した直後であっても磁気テープＭＴの表面にアルコールを容易に塗布することができる。さらに、耐薬品性を有することで、変形が無く、繰り返して使用することができる。
【００３４】
吸着部２４には、複数の孔２４ａが開口している。この孔２４ａは、テープ先端部搬送手段２２のブロック内で一本の通路に集結され、この通路にホース、切替弁などを介して真空ポンプおよびコンプレッサが接続される。磁気テープＭＴの搬送時には、真空ポンプに接続された状態で、孔２４ａは図４に示すように磁気テープＭＴを吸着することができる。
また、コンプレッサに接続されるように切替弁で切り替えることで、孔２４ａは、磁気テープＭＴをハブＨ（図３参照）に吹き付けることができる。
【００３５】
次に本発明の第１の実施形態に係るテープカートリッジ１の製造方法について説明する。
図５は、本発明の第１の実施形態に係るテープカートリッジのテープ貼付装置の動作説明図である。
図５（ａ）に示すように、まず、磁気テープＭＴを図示しない真空ポンプから吸着部２４の孔２４ａ（図４参照）に真空吸着させる。そして、図５（ｂ）に示すように、テープ先端部搬送手段２２をそのまま水平方向に移動させ、スポンジ２８をカートリッジケースＣ内のハブＨに接触させる。こうすることで、ハブＨにスポンジ２８に滲み込んだ適量のアルコールが塗布される。このとき、ハブＨを回転させることにより、ハブＨの周面にアルコールを塗布することができる。
【００３６】
また、図５（ｃ）に示すように、テープ先端部搬送手段２２をさらに前進させて、吸着部２４がハブＨの下方に位置するまで移動させる。さらに、図５（ｄ）に示すように、ハブＨを回転させつつ、テープ先端部搬送手段２２を上方に移動させるとともに、孔２４ａ（図３参照）の真空吸着を解除して孔２４ａ（図３参照）に圧縮エアを供給することで、磁気テープＭＴのハブ側先端部ＭＴ１をハブＨに吹き付ける。ハブ側先端部ＭＴ１には面取部２５、２５が形成されているため、図５（ｄ）の右側に拡大して示すように、ハブＨに塗布されたアルコールが磁気テープＭＴのハブ側先端部ＭＴ１に馴染むとともに、ハブＨの形状に沿って磁気テープＭＴが押し付けられる。こうすることで、ハブ側先端部ＭＴ１がハブＨに沿ってぴったりと貼り付けられる。
【００３７】
その後、図５（ｅ）に示すように、テープ先端部搬送手段２２を少し下方に下げて、カートリッジケースＣ内から後退させる。このようにして、磁気テープＭＴをハブＨに貼り付ける作業を完了する。
【００３８】
そして、リール駆動手段（図示しない）によりリールＣＲを回転駆動させることにより、磁気テープＭＴがリールＣＲに巻き取られていく。
このようにして、磁気テープＭＴが必要量巻き取られると、テープ切断装置８０（図３参照）により、磁気テープＭＴが切断され、テープカートリッジ１は、テープカートリッジ排出部７０（図３参照）から排出される。
このとき、テープ切断装置８０（図３参照）により、磁気テープＭＴのハブ側先端部ＭＴ１が切断されて面取部２５、２５が形成されて、次のテープカートリッジ１のハブＨに貼付されて、順次テープカートリッジ１が製造される。
【００３９】
以上によれば、第１の実施形態において以下の効果を得ることができる。
ハブＨに塗布されたアルコールが揮発してしまったり、磁気テープＭＴへのアルコールの塗布幅が十分でなかったりしてアルコールがハブ側先端部ＭＴ１の角部にまで行き渡らなかったとしても、ハブ側先端部ＭＴ１に面取部２５、２５が形成されているため、ハブ側先端部ＭＴ１がめくれ上がることを防ぐことができ、磁気テープＭＴをリールＣＲに隙間無く巻きつけていくことができる。このため、巻き上がった磁気テープＭＴに放射状の変形が生じることを防止することができる。また、面取部２５、２５と先端部ＭＴ１の中央部分とをそれぞれ磁気テープＭＴの全幅の３分の１ずつとなるように面取部２５、２５を形成したことにより、ハブ側先端部ＭＴ１が鋭利になりすぎることがなく、ハブ側先端部ＭＴ１のめくれ上がりを効果的に防止することができる。
【００４０】
次に、本発明の第２の実施形態に係るテープカートリッジ１´について説明する。
第２の実施形態に係るテープカートリッジ１´は、第１の実施形態に係るテープカートリッジ１の磁気テープＭＴのハブ側先端部ＭＴ１の形状を変更したものであるので、テープカートリッジ１と同様の構成要素については同一符号を付し、重複する説明は省略する。
【００４１】
図６は、本発明の第２の実施形態に係るテープカートリッジに巻装される磁気テープを吸着保持したテープ先端部搬送手段の要部の平面図および部分拡大図である。
図６に示すように、本発明の第２の実施形態に係るテープカートリッジ１´の磁気テープＭＴは、ハブ側先端部ＭＴ１´の角部が円弧状に切り取られて面取部３５、３５が形成されている。
面取部３５、３５とハブ側先端部ＭＴ１´の中央部分とはそれぞれ磁気テープＭＴの全幅の３分の１ずつとなるように形成されている。
面取部３５、３５の形成にあたっては、特開平２−１５８９７６号公報記載の切断装置などが好適に用いられる。
このように構成されたハブ側先端部ＭＴ１´は、テープ先端部搬送手段２２によりハブＨに貼付される。
【００４２】
以上によれば、第２の実施形態に係るテープカートリッジ１´において以下の効果を得ることができる。
磁気テープＭＴのハブ側先端部ＭＴ１´は、角部に円弧状の面取部３５、３５が形成されているため、磁気テープＭＴのエッジに角部がなくなり、ハブ側先端部ＭＴ１´のめくれ上がりを効果的に防止することができる。
【００４３】
本発明は、上記した実施形態に限られない。
たとえば、磁気テープＭＴのハブ側先端部ＭＴ１、ＭＴ１´の形状は、磁気テープＭＴのハブ側先端部ＭＴ１、ＭＴ１´のめくれ上がりを防止することができれば、種々の変更が可能である。
また、本発明が適用されるのは、磁気テープカートリッジに限られず、たとえば、光記録テープカートリッジなどに用いられてもよいことはもちろんである。
【図面の簡単な説明】
【００４４】
【図１】本発明の第１の実施形態に係るテープカートリッジの分解斜視図である。
【図２】（ａ）は、図１におけるリール部分の分解斜視図であり、（ｂ）は、リールのハブに貼付された磁気テープのハブ側先端部の拡大図である。
【図３】本発明の第１の実施形態に係るテープカートリッジを製造するテープワインダを示す概略構成図である。
【図４】本発明の第１の実施形態に係るテープカートリッジにおいて、磁気テープを吸着保持したテープ先端部搬送手段の要部の平面図である。
【図５】本発明の第１の実施形態に係るテープカートリッジのテープ貼付装置の動作説明図である。
【図６】本発明の第２の実施形態に係るテープカートリッジに巻装される磁気テープを吸着保持したテープ先端部搬送手段の要部の平面図および部分拡大図である。
【図７】図７（ａ）は、テープ先端部搬送手段の断面図であり、（ｂ）は、（ａ）をＡ方向から見たテープ先端部搬送手段の平面図であり、（ｃ）は、（ａ）の状態からハブに磁気テープが貼付される様子を示した図であり、（ｄ）は、（ｃ）をＢ方向からみた側面図である。
【図８】従来のテープカートリッジを示す図であって、（ａ）は、テープリールの平面図であり、（ｂ）は、磁気テープの変形部分の拡大図である。
【符号の説明】
【００４５】
１、１´      テープカートリッジ
１０    テープ供給装置
２０    テープ貼付装置
２２    テープ先端部搬送手段
２５、３５      面取部
Ｃ      カートリッジケース
ＣＲ    リール
Ｈ      ハブ
ＭＴ    磁気テープ
ＭＴ１、ＭＴ１´  ハブ側先端部
Ｗ      テープワインダ
【図１】
2007335009.tif 000003
【図２】
2007335009.tif 000004
【図３】
2007335009.tif 000005
【図４】
2007335009.tif 000006
【図５】
2007335009.tif 000007
【図６】
2007335009.tif 000008
【図７】
2007335009.tif 000009
【図８】
2007335009.tif 000010